(57)【要約】【課題】ＬＥＤの低調光時のちらつきを低減することができるＬＥＤ駆動回路を提供する。【解決手段】位相制御式調光器２に接続可能であり、交番電圧を入力してＬＥＤ（ＬＥＤモジュール３）を駆動するＬＥＤ駆動回路であって、位相制御式調光器２内部のトライアックＴｒｉ１がオンになって前記ＬＥＤが発光した後、前記交番電圧が０Ｖとなる前に位相制御式調光器内部２のトライアックＴｒｉ１がオフしないように、位相制御式調光器２内部に電流を流し続けるための電流引き抜き部６を備えるＬＥＤ駆動回路。【選択図】図１Ａ
2011134672.tif 000002
【特許請求の範囲】
【請求項１】
位相制御式調光器に接続可能であり、交番電圧を入力してＬＥＤを駆動するＬＥＤ駆動回路であって、
前記位相制御式調光器内部の位相制御素子がオンになって前記ＬＥＤが発光した後、前記交番電圧が０Ｖとなる前に前記位相制御式調光器内部の位相制御素子がオフしないように、前記位相制御式調光器内部に電流を流し続けるための電流引き抜き部を備えることを特徴とするＬＥＤ駆動回路。
【請求項２】
ＬＥＤ駆動電流を前記ＬＥＤに供給するための電源供給ラインを流れる電流の値が検出判定値を下回ったときに、前記電流引き抜き部が動作を開始する請求項１に記載のＬＥＤ駆動回路。
【請求項３】
過電流を検出するための電流検出回路又は過電圧を検出するための電圧検出回路を備え、
前記電流検出回路又は前記電圧検出回路の検出結果から、ＬＥＤ駆動電流を前記ＬＥＤに供給するための電源供給ラインを流れる電流の値を間接的に検出する請求項２に記載のＬＥＤ駆動回路。
【請求項４】
前記位相制御式調光器内部の位相制御素子がオフであるときも、前記電流引き抜き部が動作する請求項１〜３のいずれか１項に記載のＬＥＤ駆動回路。
【請求項５】
前記電流引き抜き部は、動作開始後前記交番電圧が０Ｖになると動作を停止する請求項１〜４のいずれか１項に記載のＬＥＤ駆動回路。
【請求項６】
前記電流引き抜き部は、動作開始後所定の時間が経過すると動作を停止する請求項１〜４のいずれか１項に記載のＬＥＤ駆動回路。
【請求項７】
交番電圧を入力してＬＥＤを駆動するＬＥＤ駆動回路に接続可能な位相制御式調光器であって、
位相制御素子を備え、
前記位相制御素子がオンになって前記ＬＥＤが発光した後、前記交番電圧が０Ｖとなる前に前記位相制御素子を強制的にオフする強制オフ部を備えることを特徴とする位相制御式調光器。
【請求項８】
ＬＥＤ駆動電流を前記ＬＥＤに供給するための電源供給ラインを流れる電流の値が検出判定値を下回ったときに、前記強制オフ部が前記位相制御素子を強制的にオフする請求項７に記載の位相制御式調光器。
【請求項９】
前記ＬＥＤ駆動回路が過電流を検出するための電流検出回路又は過電圧を検出するための電圧検出回路を備え、
前記電流検出回路又は前記電圧検出回路の検出結果から、ＬＥＤ駆動電流を前記ＬＥＤに供給するための電源供給ラインを流れる電流の値を間接的に検出する請求項８に記載の位相制御式調光器。
【請求項１０】
前記交番電圧を検出する電圧検出回路の検出結果から、ＬＥＤ駆動電流を前記ＬＥＤに供給するための電源供給ラインを流れる電流の値を間接的に検出する請求項８に記載の位相制御式調光器。
【請求項１１】
前記電圧検出回路によって検出された電圧値が前記ＬＥＤの順方向電圧より高い所定値になると、前記強制オフ部が前記位相制御素子を強制的にオフする請求項９または請求項１０に記載の位相制御式調光器。
【請求項１２】
請求項１〜６のいずれか１項に記載のＬＥＤ駆動回路と、前記ＬＥＤ駆動回路の出力側に接続されたＬＥＤとを備えることを特徴とするＬＥＤ照明灯具。
【請求項１３】
ＬＥＤと、
位相制御式調光器内部の位相制御素子がオンになって前記ＬＥＤが発光した後、前記位相制御式調光器に入力される交番電圧が０Ｖとなる前に前記位相制御式調光器内部の位相制御素子がオフすることによって前記ＬＥＤがちらつき点灯することを低減するＬＥＤちらつき点灯低減手段とを備えることを特徴とするＬＥＤ照明灯具。
【請求項１４】
請求項１〜６のいずれか１項に記載のＬＥＤ駆動回路、又は、請求項１２若しくは請求項１３に記載のＬＥＤ照明灯具を備えることを特徴とするＬＥＤ照明機器。
【請求項１５】
請求項１２若しくは請求項１３に記載のＬＥＤ照明灯具、又は、請求項１４に記載のＬＥＤ照明機器と、当該ＬＥＤ照明灯具又はＬＥＤ照明機器の入力側に接続された位相制御式調光器とを備えることを特徴とするＬＥＤ照明システム。
【請求項１６】
ＬＥＤ照明灯具又はＬＥＤ照明機器の入力側に接続された請求項７〜１１のいずれか１項に記載の位相制御式調光器を備えることを特徴とするＬＥＤ照明システム。
【発明の詳細な説明】
【技術分野】
【０００１】
本発明は、ＬＥＤ（Light Emitting Diode）を駆動するＬＥＤ駆動回路及びＬＥＤ駆動回路に接続可能な位相制御式調光器並びにＬＥＤを光源とするＬＥＤ照明灯具、ＬＥＤ照明機器及びＬＥＤ照明システムに関する。
【背景技術】
【０００２】
ＬＥＤは低消費電流で長寿命などの特徴を有し、表示装置だけでなく照明器具等にもその用途が広がりつつある。なお、ＬＥＤ照明器具では、所望の照度を得るために、複数個のＬＥＤを使用する場合が多い。
【０００３】
一般的な照明器具は商用ＡＣ１００Ｖ電源を使用することが多く、白熱電球などの一般的な照明灯具に代えてＬＥＤ照明灯具を使用する場合などを考慮すると、ＬＥＤ照明灯具も一般的な照明灯具と同様に商用ＡＣ１００Ｖ電源を使用する構成であることが望ましい。
【０００４】
また、白熱電球を調光制御しようとした場合、スイッチング素子（一般的にはサイリスタ素子やトライアック素子）を交流電源電圧のある位相角でオンすることにより白熱電球への電源供給をボリューム素子一つで簡単に調光制御できる位相制御式調光器（一般に白熱ライコンと呼ばれている）が用いられている。しかしながら、白熱電球を位相制御式調光器で調光する場合において、ワット数の小さな白熱電球と調光器を接続するとちらつきや点滅が生じ正常に調光できないことが知られている。
【先行技術文献】
【特許文献】
【０００５】
【特許文献１】特開２００６−３１９１７２号公報
【特許文献２】特開２００５−２６１４２号公報
【発明の概要】
【発明が解決しようとする課題】
【０００６】
交流電源使用のＬＥＤ照明灯具を調光制御しようとした場合、白熱電球を調光制御しようとした場合と同様に位相制御式調光器が用いられることが望まれる。ここで、交流電源使用のＬＥＤ照明灯具を調光制御することができるＬＥＤ照明システムの従来例を図１７及び図１８に示す。
【０００７】
図１７に示すＬＥＤ照明システムは、位相制御式調光器２と、ダイオードブリッジＤＢ１及び電流制限回路５を有するＬＥＤ駆動回路と、ＬＥＤモジュール３とを備えている。交流電源１と上記ＬＥＤ駆動回路の間に位相制御式調光器２が直列に接続されている。位相制御式調光器２では、半固定抵抗Ｒｖａｒ１のツマミ（不図示）がある位置に設定されると、その設定された位置に対応する電源位相角でトライアックＴｒｉ１がオンになる。さらに、位相制御式調光器２では、コンデンサＣ１とインダクタＬ１による雑音防止回路が設けられており、位相制御式調光器２から電源ラインに帰還する端子雑音が当該雑音防止回路によって低減される。
【０００８】
図１８に示すＬＥＤ照明システムは、位相制御式調光器２と、ダイオードブリッジＤＢ１、スイッチング制御回路ＣＮＴ１、スイッチング素子Ｑ１、コイルＬ２、ダイオードＤ１、コンデンサＣ４、及び抵抗Ｒ２を有するＬＥＤ駆動回路と、ＬＥＤモジュール３とを備えている。図１８に示すＬＥＤ照明システムでは、スイッチング制御回路ＣＮＴ１が、ダイオードブリッジＤＢ１の正極側出力端に発生する電圧の実効値と抵抗Ｒ２に流れる電流の値とを検出し、それらの検出結果に基づいてスイッチング素子Ｑ２のオン／オフを制御する。
【０００９】
ここで、白熱電球１３を位相制御式調光器２で動作させたとき（図１９参照）の各部電圧、電流波形の一例を図２０に示す。図２０では、交流電源１の出力電圧Ｖ1の波形、白熱電球１３の両端電圧Ｖ13の波形、白熱電球１３に流れる電流Ｉ13の波形が図示されている。トライアックＴｒｉ１がオフからオンに切り替わると、白熱電球１３の両端電圧Ｖ13が急峻に上昇し、白熱電球１３に流れる電流Ｉ13も急峻に上昇して白熱電球１３が点灯する。その後、トライアックＴｒｉ１がオンしている間は白熱電球１３に電流が流れ続けるため、交流電源１の出力電圧Ｖ1が０Ｖ付近になるまで白熱電球１３の点灯が維持される。
【００１０】
続いて、図１７に示すＬＥＤ照明システムにおけるＬＥＤモジュール３の両端電圧Ｖ3の波形例を図２１Ａ〜図２１Ｃに示す。図２１Ａは明るい調光レベルでのＬＥＤモジュール３の両端電圧Ｖ3の波形を示しており、図２１Ｂは暗い調光レベルでのＬＥＤモジュール３の両端電圧Ｖ3の波形を示しており、図２１Ｃは中間調光レベル（明るい調光レベルと暗い調光レベルとの間のレベル）でのＬＥＤモジュール３の両端電圧Ｖ3の波形を示している。
【００１１】
明るい調光レベルに設定された場合、トライアックＴｒｉ１がオフからオンに切り替わってＬＥＤモジュール３が点灯した後、ＬＥＤモジュール３の両端電圧Ｖ3がＬＥＤモジュール３の順方向電圧ＶFを下回ると、ＬＥＤモジュール３に電流が流れなくなり、トライアックＴｒｉ１がオフするため、ＬＥＤモジュール３の両端電圧Ｖ3が急峻に低下する（図２１Ａ参照）。
【００１２】
ここで、上記明るい調光レベルに設定された場合の図１７に示すＬＥＤ照明システムの各部電圧・電流のシミュレーション波形図を図２２Ａに示す。図２２Ａでは、交流電源１の出力電圧Ｖ1の波形、ＬＥＤモジュール３の両端電圧Ｖ3、ＬＥＤモジュール３に流れる電流Ｉ3が示されている。また、図２２Ａでは、半固定抵抗Ｒｖａｒ１のツマミをＬＥＤモジュール３の光強度が最大になる位置に設定したとき、すなわち半固定抵抗Ｒｖａｒ１の抵抗値を０Ωにしたときのシミュレーション結果が示されている。図２２Ａにおいて、トライアックＴｒｉ１がオフからオンに切り替わってＬＥＤモジュール３の両端電圧Ｖ3が立ち上がるのは、位相が５３°のときである。ＬＥＤモジュール３の光強度は、ＬＥＤモジュール３の平均電流に比例しているため、ＬＥＤモジュール３の平均電流から推定可能である。なお、ＬＥＤモジュール３の平均電流と半固定抵抗Ｒｖａｒ１の抵抗値との関係は図２３に示すようになっている。位相制御式調光器２を設けない状態でのＬＥＤモジュール３の光強度を１００％とすると、図２２Ａのシミュレーション結果が得られる条件でのＬＥＤモジュール３の光強度は９０．５％である。
【００１３】
一方、暗い調光レベルに設定された場合、トライアックＴｒｉ１がオフからオンに切り替わってＬＥＤモジュール３が点灯した後、ＬＥＤモジュール３の両端電圧Ｖ3がＬＥＤモジュール３の順方向電圧ＶFを下回ると、ＬＥＤモジュール３に電流が流れなくなるが、位相制御式調光器２内部に位相シフト用のコンデンサＣ２及びＣ３があるため、そのコンデンサＣ２及びＣ３からトライアックＴｒｉ１に電流が流れトライアックＴｒｉ１がオフしない（図２１Ｂ参照）。
【００１４】
ここで、上記暗い調光レベルに設定された場合の図１７に示すＬＥＤ照明システムの各部電圧・電流のシミュレーション波形図を図２２Ｂに示す。図２２Ｂでは、交流電源１の出力電圧Ｖ1の波形、ＬＥＤモジュール３の両端電圧Ｖ3、ＬＥＤモジュール３に流れる電流Ｉ3が示されている。また、図２２Ｂでは、半固定抵抗Ｒｖａｒ１の抵抗値を１５０ｋΩにしたときのシミュレーション結果が示されている。図２２Ｂにおいて、トライアックＴｒｉ１がオフからオンに切り替わってＬＥＤモジュール３の両端電圧Ｖ3が立ち上がるのは、位相が１４１°のときである。また、図２２Ｂのシミュレーション結果が得られる条件でのＬＥＤモジュール３の光強度は０．７１％である。
【００１５】
例えば、コンデンサＣ２の静電容量を１００ｎＦとし、抵抗Ｒ１の抵抗値を５．６ｋΩとし、コンデンサＣ２の両端電圧の初期値を１４１Ｖとすると、コンデンサＣ２から流れる電流がトライアックＴｒｉ１の保持電流値（ここでは５ｍＡとする）を下回るまで約９００μｓかかる。すなわち、コンデンサＣ２によるトライアックＴｒｉ１の保持時間は約９００μｓである。トライアックＴｒｉ１がオンした後、９００μｓ以後にＬＥＤモジュール３に電流が流れなくなる場合は図２１Ａに示すような波形となり、９００μｓ以内にＬＥＤモジュール３に電流が流れなくなる場合は図２１Ｂに示すような波形となる。そして、ちょうどその境界の場合、すなわちトライアックＴｒｉ１がオンした後、９００μｓにＬＥＤモジュール３に電流が流れなくなる場合、図２１Ｃに示すように両者が混在した波形となる。図２１Ｃの状態となる時、コンデンサＣ２のチャージ量と、抵抗Ｒ１及びコンデンサＣ２の時定数のばらつきによって、ＬＥＤモジュール３に流れる電流が安定せず、光がちらつく現象が発生し、低調光時のちらつきの問題となる。
【００１６】
ここで、上記中間調光レベルに設定された場合の図１７に示すＬＥＤ照明システムの各部電圧・電流のシミュレーション波形図を図２２Ｃに示す。図２２Ｃでは、交流電源１の出力電圧Ｖ1の波形、ＬＥＤモジュール３の両端電圧Ｖ3、ＬＥＤモジュール３に流れる電流Ｉ3が示されている。また、図２２Ｃでは、半固定抵抗Ｒｖａｒ１の抵抗値を１３５ｋΩにしたときのシミュレーション結果が示されている。図２２Ｃにおいて、トライアックＴｒｉ１がオフからオンに切り替わってＬＥＤモジュール３の両端電圧Ｖ3が立ち上がるタイミングは、位相が１３７°と１４１°のときに交互に現れる。また、図２２Ｃのシミュレーション結果が得られる条件でのＬＥＤモジュール３の光強度は１．５８％である。
【００１７】
上記低調光時のちらつきの問題は、概ねＬＥＤモジュール３の光強度が１〜５％程度のときに発生する問題であるが、調光器には様々なタイプのものがあるため、その値はあくまで目安であり、１〜５％以外でも低調光時のちらつきの問題が発生する場合がある。
【００１８】
本発明は、上記の状況に鑑み、ＬＥＤの低調光時のちらつきを低減することができるＬＥＤ駆動回路、位相制御式調光器、ＬＥＤ照明灯具、ＬＥＤ照明機器、及びＬＥＤ照明システムを提供することを目的とする。
【課題を解決するための手段】
【００１９】
上記目的を達成するために本発明に係るＬＥＤ駆動回路は、位相制御式調光器に接続可能であり、交番電圧を入力してＬＥＤを駆動するＬＥＤ駆動回路であって、前記位相制御式調光器内部の位相制御素子がオンになって前記ＬＥＤが発光した後、前記交番電圧が０Ｖとなる前に前記位相制御式調光器内部の位相制御素子がオフしないように、前記位相制御式調光器内部に電流を流し続けるための電流引き抜き部を備える構成とする。
【００２０】
また、ＬＥＤ駆動電流を前記ＬＥＤに供給するための電源供給ラインを流れる電流の値が検出判定値を下回ったときに、前記電流引き抜き部が動作を開始するようにしてもよい。
【００２１】
また、過電流を検出するための電流検出回路又は過電圧を検出するための電圧検出回路を備え、前記電流検出回路又は前記電圧検出回路の検出結果から、ＬＥＤ駆動電流を前記ＬＥＤに供給するための電源供給ラインを流れる電流の値を間接的に検出するようにしてもよい。
【００２２】
また、前記位相制御式調光器内部の位相制御素子がオフであるときも、前記電流引き抜き部が動作するようにしてもよい。
【００２３】
また、前記電流引き抜き部は、動作開始後前記交番電圧が０Ｖになると動作を停止するようにしてもよい。
【００２４】
また、前記電流引き抜き部は、動作開始後所定の時間が経過すると動作を停止するようにしてもよい。
【００２５】
上記目的を達成するために本発明に係る位相制御式調光器は、交番電圧を入力してＬＥＤを駆動するＬＥＤ駆動回路に接続可能な位相制御式調光器であって、位相制御素子を備え、前記位相制御素子がオンになって前記ＬＥＤが発光した後、前記交番電圧が０Ｖとなる前に前記位相制御素子を強制的にオフする強制オフ部を備える構成とする。
【００２６】
また、ＬＥＤ駆動電流を前記ＬＥＤに供給するための電源供給ラインを流れる電流の値が検出判定値を下回ったときに、前記強制オフ部が前記位相制御素子を強制的にオフするようにしてもよい。
【００２７】
また、前記ＬＥＤ駆動回路が過電流を検出するための電流検出回路又は過電圧を検出するための電圧検出回路を備え、前記電流検出回路又は前記電圧検出回路の検出結果から、ＬＥＤ駆動電流を前記ＬＥＤに供給するための電源供給ラインを流れる電流の値を間接的に検出するようにしてもよい。
【００２８】
また、前記交番電圧を検出する電圧検出回路の検出結果から、ＬＥＤ駆動電流を前記ＬＥＤに供給するための電源供給ラインを流れる電流の値を間接的に検出するようにしてもうよい。
【００２９】
また、前記電圧検出回路によって検出された電圧値が前記ＬＥＤの順方向電圧より高い所定値になると、前記強制オフ部が前記位相制御素子を強制的にオフするようにしてもよい。
【００３０】
上記目的を達成するために本発明に係るＬＥＤ照明灯具は、上記いずれかの構成の本発明に係るＬＥＤ駆動回路と、前記ＬＥＤ駆動回路の出力側に接続されたＬＥＤとを備える構成とする。
【００３１】
上記目的を達成するために本発明に係るＬＥＤ照明灯具は、ＬＥＤと、位相制御式調光器内部の位相制御素子がオンになって前記ＬＥＤが発光した後、前記位相制御式調光器に入力される交番電圧が０Ｖとなる前に前記位相制御式調光器内部の位相制御素子がオフすることによって前記ＬＥＤがちらつき点灯することを低減するＬＥＤちらつき点灯低減手段とを備える構成であってもよい。
【００３２】
上記目的を達成するために本発明に係るＬＥＤ照明機器は、上記いずれかの構成の本発明に係るＬＥＤ駆動回路又は上記いずれかの構成の本発明に係るＬＥＤ照明灯具を備えるようにする。
【００３３】
上記目的を達成するために本発明に係るＬＥＤ照明システムは、上記いずれかの構成の本発明に係るＬＥＤ照明灯具又は上記構成の本発明に係るＬＥＤ照明機器と、当該ＬＥＤ照明灯具又はＬＥＤ照明機器の入力側に接続された位相制御式調光器とを備えるようにする。
【００３４】
上記目的を達成するために本発明に係るＬＥＤ照明システムは、ＬＥＤ照明灯具又はＬＥＤ照明機器の入力側に接続された上記いずれかの構成の本発明に係る位相制御式調光器を備える構成であってもよい。
【発明の効果】
【００３５】
本発明によると、図２２Ｃのような状態にならないので、低調光時のちらつきを低減することができる。
【図面の簡単な説明】
【００３６】
【図１Ａ】本発明の第１実施形態に係るＬＥＤ照明システムの構成を示す図である。
【図１Ｂ】本発明の第２実施形態に係るＬＥＤ照明システムの構成を示す図である。
【図２】本発明の第３実施形態に係るＬＥＤ照明システムの構成を示す図である。
【図３】本発明の第４実施形態に係るＬＥＤ照明システムの構成を示す図である。
【図４】本発明の第５実施形態に係るＬＥＤ照明システムの構成を示す図である。
【図５】ＬＥＤモジュールの電圧−電流特性を示す図である。
【図６】本発明の第６実施形態に係るＬＥＤ照明システムの構成を示す図である。
【図７】本発明の第７実施形態に係るＬＥＤ照明システムの構成を示す図である。
【図８Ａ】本発明に係るＬＥＤ照明システムで用いられるＬＥＤ駆動回路の第１変形例を示す図である。
【図８Ｂ】本発明に係るＬＥＤ照明システムで用いられるＬＥＤ駆動回路の第２変形例を示す図である。
【図９】本発明に係るＬＥＤ照明システムで用いられるＬＥＤ駆動回路の第３変形例を示す図である。
【図１０】本発明に係るＬＥＤ照明システムに図９に示すＬＥＤ駆動回路を用いた場合の各部電圧・電流波形を示すタイミングチャートである。
【図１１】本発明に係るＬＥＤ照明システムで用いられるＬＥＤ駆動回路の第４変形例を示す図である。
【図１２】本発明に係るＬＥＤ照明システムで用いられるＬＥＤ駆動回路の第５変形例を示す図である。
【図１３】本発明に係るＬＥＤ照明システムで用いられるＬＥＤ駆動回路の第６変形例を示す図である。
【図１４】本発明の第８実施形態に係るＬＥＤ照明システムの構成を示す図である。
【図１５】本発明に係るＬＥＤ照明灯具、本発明に係るＬＥＤ照明機器、及び本発明に係るＬＥＤ照明システムの概略構造例を示す図である。
【図１６】本発明に係るＬＥＤ照明灯具の他の概略構造例を示す図である。
【図１７】従来のＬＥＤ照明システムの一例を示す図である。
【図１８】従来のＬＥＤ照明システムの他の例を示す図である。
【図１９】白熱電球照明システムの一構成例を示す図である。
【図２０】図１９に示す白熱電球照明システムの各部電圧・電流波形の一例を示す図である。
【図２１Ａ】明るい調光レベルに設定された場合の図１７に示すＬＥＤ照明システムにおけるＬＥＤモジュールの両端電圧の波形例を示す図である。
【図２１Ｂ】暗い調光レベルに設定された場合の図１７に示すＬＥＤ照明システムにおけるＬＥＤモジュールの両端電圧の波形例を示す図である。
【図２１Ｃ】中間調光レベルに設定された場合の図１７に示すＬＥＤ照明システムにおけるＬＥＤモジュールの両端電圧の波形例を示す図である。
【図２２Ａ】明るい調光レベルに設定された場合の図１７に示すＬＥＤ照明システムの各部電圧・電流のシミュレーション波形図である。
【図２２Ｂ】暗い調光レベルに設定された場合の図１７に示すＬＥＤ照明システムの各部電圧・電流のシミュレーション波形図である。
【図２２Ｃ】中間調光レベルに設定された場合の図１７に示すＬＥＤ照明システムの各部電圧・電流のシミュレーション波形図である。
【図２３】ＬＥＤモジュールの平均電流と半固定抵抗の抵抗値との関係を示す図である。
【発明を実施するための形態】
【００３７】
本発明の実施形態について図面を参照して以下に説明する。
【００３８】
＜＜第１実施形態＞＞
本発明の第１実施形態に係るＬＥＤ照明システムの構成を図１Ａに示す。なお、図１Ａにおいて図１７と同一の部分には同一の符号を付し詳細な説明を省略する。図１Ａに示す本発明の第１実施形態に係るＬＥＤ照明システムは、位相制御式調光器２と、ＬＥＤモジュール３と、ＬＥＤ駆動回路４Ａとを備えている。ＬＥＤ駆動回路４Ａは、本発明に係るＬＥＤ駆動回路の一例であり、ダイレクト方式（非スイッチング方式）のＬＥＤ駆動回路であって、ダイオードブリッジＤＢ１と、電流制限回路５と、電流引き抜き部６とを有している。電流引き抜き部６は、ダイオードブリッジＤＢ１の出力両端間に設けられており、動作時にＬＥＤ駆動電流をＬＥＤモジュール３に供給するための電源供給ラインＬＮ１から電流を引き抜く。図１Ａに示す本発明の第１実施形態に係るＬＥＤ照明システムでは、交流電源１とＬＥＤ駆動回路４Ａの入力端との間に位相制御式調光器２が設けられ、ＬＥＤ駆動回路４Ａの出力端間に１個以上のＬＥＤからなるＬＥＤモジュール３が設けられている。
【００３９】
位相制御式調光器２内部のトライアックＴｒｉ１がオンになってＬＥＤモジュール３が発光した後、交流電源１の出力電圧Ｖ1が０Ｖになるまで、電流引き抜き部６の動作により、位相制御式調光器２内部のトライアックＴｒｉ１に電流が流れ位相制御式調光器２内部のトライアックＴｒｉ１がオフしないので、図２２Ｂのように交流電源１の出力電圧Ｖ1とＬＥＤモジュール３の両端電圧Ｖ3とが一致する。これにより、図２２Ｃのような状態にならないので、低調光時のちらつきを低減することができる。
【００４０】
＜＜第２実施形態＞＞
本発明の第２実施形態に係るＬＥＤ照明システムの構成を図１Ｂに示す。なお、図１Ｂにおいて図１８と同一の部分には同一の符号を付し詳細な説明を省略する。図１Ｂに示す本発明に係るＬＥＤ照明システムは、位相制御式調光器２と、ＬＥＤモジュール３と、ＬＥＤ駆動回路４Ｂとを備えている。ＬＥＤ駆動回路４Ｂは、本発明に係るＬＥＤ駆動回路の他の例であり、スイッチング方式のＬＥＤ駆動回路であって、ダイオードブリッジＤＢ１と、スイッチング制御回路ＣＮＴ１と、スイッチング素子Ｑ１と、コイルＬ２と、ダイオードＤ１と、コンデンサＣ４と、抵抗Ｒ２と、電流引き抜き部６とを有している。電流引き抜き部６は、ダイオードブリッジＤＢ１の出力端間に設けられており、動作時にＬＥＤ駆動電流をＬＥＤモジュール３に供給するための電源供給ラインＬＮ１から電流を引き抜く。図１Ｂに示す本発明の第２実施形態に係るＬＥＤ照明システムでは、交流電源１とＬＥＤ駆動回路４Ｂの入力端との間に位相制御式調光器２が設けられ、ＬＥＤ駆動回路４Ｂの出力端間に１個以上のＬＥＤからなるＬＥＤモジュール３が設けられている。
【００４１】
位相制御式調光器２内部のトライアックＴｒｉ１がオンになってＬＥＤモジュール３が発光した後、交流電源１の出力電圧Ｖ1が０Ｖになるまで、電流引き抜き部６の動作により、位相制御式調光器２内部のトライアックＴｒｉ１に電流が流れ位相制御式調光器２内部のトライアックＴｒｉ１がオフしないので、図２２Ｂのように交流電源１の出力電圧Ｖ1とＬＥＤモジュール３の両端電圧Ｖ3とが一致する。これにより、図２２Ｃのような状態にならないので、低調光時のちらつきを低減することができる。
【００４２】
＜＜第３実施形態＞＞
本発明の第３実施形態に係るＬＥＤ照明システムの構成を図２に示す。なお、図２において図１７と同一の部分には同一の符号を付し詳細な説明を省略する。図２に示す本発明の第３実施形態に係るＬＥＤ照明システムは、位相制御式調光器２’と、ＬＥＤモジュール３と、ＬＥＤ駆動回路４とを備えている。ＬＥＤ駆動回路４Ａは、ダイレクト方式（非スイッチング方式）のＬＥＤ駆動回路であって、ダイオードブリッジＤＢ１と、電流制限回路５とを有している。図２に示す本発明の第３実施形態に係るＬＥＤ照明システムでは、交流電源１とＬＥＤ駆動回路４の入力端との間に位相制御式調光器２’が設けられ、ＬＥＤ駆動回路４の出力端間に１個以上のＬＥＤからなるＬＥＤモジュール３が設けられている。
【００４３】
位相制御式調光器２’は、図１７中の位相制御式調光器２にスイッチＳ１を新たに追加した構成である。位相制御式調光器２’内部のトライアックＴｒｉ１がオンになってＬＥＤモジュール３が発光した後、交流電源１の出力電圧Ｖ1が０Ｖになる前に、スイッチＳ１がオンすることにより、コンデンサＣ２とトライアックＴｒｉ１が並列接続になってコンデンサＣ２が直ちに放電されるので、図２２Ａのように位相制御式調光器２’内部のトライアックＴｒｉ１がオフになる。これにより、図２２Ｃのような状態にならないので、低調光時のちらつきを低減することができる。
【００４４】
＜＜第４実施形態＞＞
本発明の第４実施形態に係るＬＥＤ照明システムの構成を図３に示す。なお、図３において図１Ａと同一の部分には同一の符号を付し詳細な説明を省略する。図３に示す本発明の第４実施形態に係るＬＥＤ照明システムは、図１Ａに示す本発明の第１実施形態に係るＬＥＤ照明システムの一具体例である。
【００４５】
図３に示す本発明の第４実施形態に係るＬＥＤ照明システムでは、ＬＥＤ駆動回路４Ａが電流検出回路７を有している。電流検出回路７は、電源供給ラインＬＮ１に流れている電流の値が検出判定値を下回ったか否かを検出する。電流引き抜き部６は、電流検出回路７によって、電源供給ラインＬＮ１に流れている電流の値が検出判定値を下回ったことが検出されると、動作を開始する。
【００４６】
＜＜第５実施形態＞＞
本発明の第５実施形態に係るＬＥＤ照明システムの構成を図４に示す。なお、図４において図１Ａと同一の部分には同一の符号を付し詳細な説明を省略する。図４に示す本発明の第５実施形態に係るＬＥＤ照明システムは、図１Ａに示す本発明の第１実施形態に係るＬＥＤ照明システムの他の具体例である。
【００４７】
図４に示す本発明の第５実施形態に係るＬＥＤ照明システムでは、ＬＥＤ駆動回路４Ａが電圧検出回路８を有している。電圧検出回路８は、ダイオードブリッジＤＢ１の出力両端間電圧の値を検出する。電流引き抜き部６は、電圧検出回路８が検出した電圧値に基づき、電源供給ラインＬＮ１に流れている電流の値が検出判定値を下回ったときに動作を開始する。ＬＥＤモジュール３の電圧−電流特性が図５に示す特性である場合、例えば電源供給ラインＬＮ１に流れている電流の値（＝ＬＥＤモジュール３の電流値）が２０ｍＡであるときは電流制限回路５での電圧降下を６Ｖとすると、電圧検出回路８が検出する電圧値は８６Ｖとなる。
【００４８】
＜＜第６実施形態＞＞
本発明の第６実施形態に係るＬＥＤ照明システムの構成を図６に示す。なお、図６において図２と同一の部分には同一の符号を付し詳細な説明を省略する。図６に示す本発明の第６実施形態に係るＬＥＤ照明システムは、図２に示す本発明の第３実施形態に係るＬＥＤ照明システムの一具体例である。
【００４９】
図６に示す本発明の第６実施形態に係るＬＥＤ照明システムでは、ＬＥＤ駆動回路４が電流検出回路７を有している。電流検出回路７は、電源供給ラインＬＮ１に流れている電流の値を検出する。電流検出回路７は、電源供給ラインＬＮ１に流れている電流の値が検出判定値を下回ったか否かを検出する。位相制御式調光器２’内部のスイッチＳ１は、電流検出回路７によって、電源供給ラインＬＮ１に流れている電流の値が検出判定値を下回ったことが検出されると、オンになる。
【００５０】
＜＜第７実施形態＞＞
本発明の第７実施形態に係るＬＥＤ照明システムの構成を図７に示す。なお、図７において図２と同一の部分には同一の符号を付し詳細な説明を省略する。図７に示す本発明の第７実施形態に係るＬＥＤ照明システムは、図２に示す本発明の第３実施形態に係るＬＥＤ照明システムの他の具体例である。
【００５１】
図７に示す本発明の第７実施形態に係るＬＥＤ照明システムでは、ＬＥＤ駆動回路４が電圧検出回路８を有している。電圧検出回路８は、ダイオードブリッジＤＢ１の出力両端間電圧の値を検出する。スイッチＳ１は、電圧検出回路８が検出した電圧値に基づき、電源供給ラインＬＮ１に流れている電流の値が検出判定値を下回ったときにオンになる。ＬＥＤモジュール３の電圧−電流特性が図５に示す特性である場合、例えば電源供給ラインＬＮ１に流れている電流の値（＝ＬＥＤモジュール３の電流値）が２０ｍＡであるときは電流制限回路５での電圧降下を６Ｖとすると、電圧検出回路８が検出する電圧値は８６Ｖとなる。
【００５２】
＜＜ＬＥＤ駆動回路の第１及び第２変形例＞＞
上述した本発明の第４実施形態のように電流検出回路７が電源供給ラインＬＮ１に流れている電流の値を直接検出するのではなく、図８Ａに示すダイレクト方式（非スイッチング方式）のＬＥＤ駆動回路４Ａや図８Ｂに示すスイッチング方式のＬＥＤ駆動回路４Ｂのように、ＬＥＤモジュール３（図８Ａ及び図８Ｂにおいて不図示）を流れる電流を制御するための抵抗５２又はＲ２の両端に発生する電圧を利用し、電流検出回路７が電源供給ラインＬＮ１に流れている電流の値を間接的に検出するようにしてもよい。なお、図８Ａに示すダイレクト方式（非スイッチング方式）のＬＥＤ駆動回路４Ａにおいては、電流制限回路５が、ＰＮＰトランジスタ５１と、ＰＮＰトランジスタ５１のコレクタに接続される抵抗５２と、抵抗５２の両端電圧を入力するコンパレータ５３と、コンパレータ５３の出力に応じてＰＮＰトランジスタ５１を制御するドライブ回路５４とによって構成されている。
【００５３】
また、上述した本発明の第６実施形態において用いられるＬＥＤ駆動回路４についても、図８Ａに示すダイレクト方式（非スイッチング方式）のＬＥＤ駆動回路４Ａのように、ＬＥＤモジュール３を流れる電流を制御するための抵抗５２の両端に発生する電圧を利用し、電流検出回路７が電源供給ラインＬＮ１に流れている電流の値を間接的に検出するように変形することができる。
【００５４】
＜＜ＬＥＤ駆動回路の第３変形例＞＞
上述した本発明の第４実施形態のように電流検出回路７が電源供給ラインＬＮ１に流れている電流の値を直接検出するのではなく、図９に示すダイレクト方式（非スイッチング方式）のＬＥＤ駆動回路４Ａのように、コンパレータ１０によって検出される電流制限回路５での電圧降下を利用し、電流検出回路７が電源供給ラインＬＮ１に流れている電流の値を間接的に検出するようにしてもよい。
【００５５】
ここで、本発明に係るＬＥＤ照明システムに図９に示すダイレクト方式（非スイッチング方式）のＬＥＤ駆動回路４Ａを用いた場合の電源供給ラインＬＮ１の電圧ＶLN1、ＬＥＤモジュール３を流れる電流Ｉ3、電流制限回路５での電圧降下ＶDのタイミングチャートを図１０に示す。図１０から明らかなように、ＬＥＤモジュール３に電流が流れなくなるとき、電流制限回路５での電圧降下ＶDが低下する。したがって、電流検出回路７がこの電圧降下ＶDの低下を検知し、電源供給ラインＬＮ１に流れている電流の値（＝ＬＥＤモジュール３に流れている電流の値）を間接的に検出するようにする。
【００５６】
また、上述した本発明の第６実施形態において用いられるＬＥＤ駆動回路４についても、図９に示すダイレクト方式（非スイッチング方式）のＬＥＤ駆動回路４Ａのように、コンパレータ１０によって検出される電流制限回路５での電圧降下を利用し、電流検出回路７が電源供給ラインＬＮ１に流れている電流の値を間接的に検出するように変形することができる。
【００５７】
＜＜ＬＥＤ駆動回路の第４変形例＞＞
上述した本発明の第４実施形態のように電流検出回路７が電源供給ラインＬＮ１に流れている電流の値を直接検出するのではなく、図１１に示すダイレクト方式（非スイッチング方式）のＬＥＤ駆動回路４Ａのように、ＬＥＤモジュール３（図１１において不図示）を流れる電流を制御するための抵抗５２の両端に発生する電圧を利用し、電流検出回路７が電源供給ラインＬＮ１に流れている電流の値を間接的に検出するようにしてもよい。なお、図１１に示すダイレクト方式（非スイッチング方式）のＬＥＤ駆動回路４Ａにおいては、電流制限回路５が、ＰＮＰトランジスタ５１と、ＰＮＰトランジスタ５１のコレクタに接続される抵抗５２と、抵抗５２の両端電圧を入力するコンパレータ５３と、ＰＮＰトランジスタ５１を駆動するドライブ回路５４と、コンパレータ５３の出力が所定値を越えるとＰＮＰトランジスタ５１をオフするようにドライブ回路５４に指示を出す過電流保護回路５５とによって構成されており、過電流保護機能を有している。
【００５８】
過電流保護機能での電流検出を電流検知回路７が利用しているので、回路サイズやコストの低減を図ることができる。
【００５９】
また、上述した本発明の第６実施形態において用いられるＬＥＤ駆動回路４についても、図１１に示すダイレクト方式（非スイッチング方式）のＬＥＤ駆動回路４Ａのように、ＬＥＤモジュール３を流れる電流を制御するための抵抗５２の両端に発生する電圧を利用し、電流検出回路７が電源供給ラインＬＮ１に流れている電流の値を間接的に検出するように変形することができる。
【００６０】
＜＜ＬＥＤ駆動回路の第５変形例＞＞
上述した本発明の第４実施形態のように電流検出回路７が電源供給ラインＬＮ１に流れている電流の値を直接検出するのではなく、図１２に示すダイレクト方式（非スイッチング方式）のＬＥＤ駆動回路４Ａのように、コンパレータ５３によって検出される電流制限回路５での電圧降下を利用し、電流検出回路７が電源供給ラインＬＮ１に流れている電流の値を間接的に検出するようにしてもよい。なお、図１２に示すダイレクト方式（非スイッチング方式）のＬＥＤ駆動回路４Ａにおいては、電流制限回路５が、ＰＮＰトランジスタ５１と、ＰＮＰトランジスタ５１のコレクタに接続される抵抗５２と、電流制限回路５での電圧降下を入力するコンパレータ５３と、ＰＮＰトランジスタ５１を駆動するドライブ回路５４と、コンパレータ５３の出力が所定値を越えるとＰＮＰトランジスタ５１をオフするようにドライブ回路５４に指示を出す過電圧保護回路５６とによって構成されており、過電圧保護機能を有している。
【００６１】
過電圧保護機能での電圧検出を電流検知回路７が利用しているので、回路サイズやコストの低減を図ることができる。
【００６２】
また、上述した本発明の第６実施形態において用いられるＬＥＤ駆動回路４についても、図１２に示すダイレクト方式（非スイッチング方式）のＬＥＤ駆動回路４Ａのように、コンパレータ５３によって検出される電流制限回路５での電圧降下を利用し、電流検出回路７が電源供給ラインＬＮ１に流れている電流の値を間接的に検出するように変形することができる。
【００６３】
＜＜ＬＥＤ駆動回路の第６変形例＞＞
例えば上述した本発明の第４実施形態に係るＬＥＤ照明システムでは、位相制御式調光器２のトライアックＴｒｉ１がオフしているときは、位相制御式調光器２内のインピーダンスよりも、ＬＥＤモジュール３とＬＥＤ駆動回路４Ａの総インピーダンスを低くする必要がある。ＬＥＤモジュール３において複数のＬＥＤを直列に接続する場合、ＬＥＤモジュール３とＬＥＤ駆動回路４Ａの総インピーダンスは高いため、トライアックＴｒｉ１がオフのときに、電源供給ラインＬＮ１に低インピーダンス回路を接続するのが一般的である。図１３に示すＬＥＤ駆動回路４Ａのように当該低インピーダンス回路として電流引き抜き部６を使用する事で回路素子の個数を低減することができ、ＬＥＤ駆動回路４の小型化及び低コスト化を図ることができる。なお、図１３に示すＬＥＤ駆動回路４Ａでは、電流引き抜き部６が、抵抗Ｒ４〜Ｒ８と、ＮＰＮトランジスタＱ２〜Ｑ４と、スイッチＳ２とによって構成されている。
【００６４】
例えば、ダイオードブリッジＤＢ１の出力両端間電圧が３０Ｖ以下では、ＮＰＮトランジスタＱ２がオフしＮＰＮトランジスタＱ３がオンし、ＮＰＮトランジスタＱ４のベース−エミッタ間電圧と抵抗Ｒ８の抵抗値とで決まる電流が電流引き抜き部６を流れ、ダイオードブリッジＤＢ１の出力両端間電圧が３０Ｖより大きい場合では、ＮＰＮトランジスタＱ２がオンしＮＰＮトランジスタＱ３がオフするようにすればよい。
【００６５】
また、電流引き抜き部６は、電流検出回路７が検出した電流値が所定の範囲のときにスイッチＳ２がオンになってＮＰＮトランジスタＱ３がオンになることで、電流引き抜き動作を行う。
【００６６】
＜＜ＬＥＤ駆動回路の第７変形例＞＞
例えば上述した本発明の第４実施形態に係るＬＥＤ照明システムで用いられるＬＥＤ駆動回路４Ａにおいて、上述したＬＥＤ駆動回路の第６変形例と異なり、電流引き抜き部６が電流引き抜き動作を開始した後、ダイオードブリッジＤＢ１の出力両端間電圧が０Ｖになると、電流引き抜き動作を停止するようにしてもよい。これにより、電流引き抜き部６の動作を必要最低限にすることができ、電流引き抜き部６での電流消費を抑えることができる。ダイオードブリッジＤＢ１の出力両端間電圧の検出には、例えばダイオードブリッジＤＢ１の出力両端間電圧を入力するコンパレータを用いることができる。
【００６７】
＜＜ＬＥＤ駆動回路の第８変形例＞＞
例えば上述した本発明の第４実施形態に係るＬＥＤ照明システムで用いられるＬＥＤ駆動回路４Ａにおいて、上述したＬＥＤ駆動回路の第６変形例と異なり、電流引き抜き部６が電流引き抜き動作を開始した後、位相シフト用コンデンサＣ２、Ｃ３によるトライアック維持時間以上の一定の時間が経過すると、電流引き抜き動作を停止するようにしてもよい。これにより、電流引き抜き部６の動作を必要最低限にすることができ、電流引き抜き部６での電流消費を抑えることができる。上記の一定の時間が経過したことを計時する手段としては、例えばタイマを用いることができる。
【００６８】
＜＜第８実施形態＞＞
本発明の第８実施形態に係るＬＥＤ照明システムの構成を図１４に示す。なお、図１４において図２と同一の部分には同一の符号を付し詳細な説明を省略する。図１４に示す本発明の第８実施形態に係るＬＥＤ照明システムは、図２に示す本発明の第３実施形態に係るＬＥＤ照明システムの一具体例である。
【００６９】
図１４に示す本発明の第８実施形態に係るＬＥＤ照明システムは、ＬＥＤ駆動回路４の入力電圧を検出する電圧検出回路９を備えている。位相制御式調光器２’内部のスイッチＳ１は、電圧検出回路９が検出した電圧値が所定の範囲のときにオンになる。なお、前記所定の範囲は、ＬＥＤモジュール３の順方向電圧ＶＦよりも大きい所定値であることが望ましい。このような設定にすると、位相シフト用コンデンサＣ２が放電され、ＬＥＤモジュール３の電流低下によりトライアックＴｒｉ１を強制的にオフすることができる。
【００７０】
＜＜変形例等＞＞
なお、本発明に係るＬＥＤ駆動回路や本発明に係る位相制御式調光器の入力電圧は日本国内の商用電源電圧１００Ｖに限定されない。本発明に係るＬＥＤ駆動回路や本発明に係る位相制御式調光器の回路定数を適切な値にすれば、海外での商用電源電圧又は降圧した交流電圧を本発明に係るＬＥＤ駆動回路や本発明に係る位相制御式調光器の入力電圧として用いることができる。
【００７１】
また、本発明に係るＬＥＤ駆動回路に電流ヒューズなどの保護素子を付加することで、より安全なＬＥＤ駆動回路を提供することができる。
【００７２】
また、上述した本発明に係るＬＥＤ駆動回路の構成では、電流制限回路の前段であるダイオードブリッジの出力側に電流引き抜き部を設けたが、ダイオードブリッジの入力側に電流引き抜き部を設けてもよく、電流制限回路の後段に電流引き抜き部を設けてもよい。但し、電流制限回路の後段に電流引き抜き部を設ける場合、電流制限回路の電流制限値より電流引き抜き部に流れる電流の電流値の方が小さいように設定する必要がある。
【００７３】
また、上述したダイレクト方式（非スイッチング方式）のＬＥＤ駆動回路では、電流制限回路５がＬＥＤモジュール３のアノード側に接続されているが、各回路定数を適切に設定することにより電流制限回路５をＬＥＤモジュール３のカソード側に接続しても問題ない。
【００７４】
また、ＬＥＤモジュール３に流す電流がＬＥＤの定格電流に対して十分なマージンがある場合は、電流制限回路５を設置しなくても調光動作等に影響はない。
【００７５】
また、本発明に係るＬＥＤ駆動回路に入力される電圧は、正弦波形の交流電圧に基づく電圧に限定されず、他の交番電圧であってもよい。また、本発明に係る位相制御式調光器に入力される電圧は、正弦波形の交流電圧圧に限定されず、他の交番電圧であってもよい。
【００７６】
また、上述したＬＥＤ駆動回路はいずれもダイオードブリッジを備えているが、本発明に係るＬＥＤ駆動回路にとってダイオードブリッジは必須構成要素ではない。ダイオードブリッジを設けない構成では、例えば、順方向が互いに異なる二つのＬＥＤモジュールを設け、ＬＥＤモジュール毎に、電流制限回路、電流引き抜き部、引き抜きタイミング調整部を設けるようにする。かかる構成は、ダイオードブリッジが不要であること、前記ダイオードブリッジが不要であることから電源効率がやや向上することであること、全波整流後に駆動する方式に対してＬＥＤ駆動電流のＤｕｔｙ比が半分になることによりＬＥＤの寿命が延びる（＝光束の低下が緩和）等のメリットを有しているが、一方で、ＬＥＤの個数が２倍になるためコストアップがデメリットとなる。
【００７７】
また、上述した各実施形態及び上記の各変形例の内容は、矛盾がない限り、任意に組み合わせて実施することが可能である。
【００７８】
＜＜本発明に係るＬＥＤ照明灯具＞＞
最後に、本発明に係るＬＥＤ照明灯具の概略構造について説明する。本発明に係るＬＥＤ照明灯具、本発明に係るＬＥＤ照明機器、及び本発明に係るＬＥＤ照明システムの概略構造例を図１５に示す。図１５では、電球形の本発明に係るＬＥＤ照明灯具２００を部分切り欠き図で示している。電球形の本発明に係るＬＥＤ照明灯具２００は、筐体または基板２０２と、筐体または基板２０２の正面（電球形の頭部側）に設置される１個以上のＬＥＤからなるＬＥＤモジュール２０１と、筐体または基板２０２の背面（電球形の下部側）に設置され回路２０３とを内部に備えている。回路２０３には、例えば上述した本発明に係るＬＥＤ駆動回路の各例を用いることができる。なお、回路２０３は、上述した本発明に係るＬＥＤ駆動回路の各例に限らず、位相制御式調光器内部の位相制御素子がオンになってＬＥＤが発光した後、位相制御式調光器に入力される交番電圧が０Ｖとなる前に位相制御式調光器内部の位相制御素子がオフすることによってＬＥＤがちらつき点灯することを低減する機能を有する回路（ＬＥＤちらつき点灯低減手段）を少なくとも備えた回路であればよいことは言うまでもない。
【００７９】
電球形の本発明に係るＬＥＤ照明灯具２００がねじ込まれて装着されるＬＥＤ照明灯具装着部３００と、ライトコントロール器（位相制御式調光器）４００とが、交流電源１に直列に接続される。電球形の本発明に係るＬＥＤ照明灯具２００とＬＥＤ照明灯具装着部３００によって、ＬＥＤ照明機器（シーリングライト，ペンダントライト，キッチンライト，ダウンライト，スタンドライト，スポットライト，フットライト等）が構成される。そして、電球形の本発明に係るＬＥＤ照明灯具２００と、ＬＥＤ照明灯具装着部３００と、ライトコントロール器４００とによって、本発明に係るＬＥＤ照明システム５００が構成される。ＬＥＤ照明灯具装着部３００は例えば室内の天井壁面に配設され、ライトコントロール器４００は例えば室内の側方壁面に配設される。
【００８０】
電球形の本発明に係るＬＥＤ照明灯具２００がＬＥＤ照明灯具装着部３００に対して着脱自在であるため、例えば、従来は白熱灯、蛍光灯等の照明灯具を用いていた既存の照明機器及び照明システムにおいて、白熱灯、蛍光灯等の照明灯具を電球形の本発明に係るＬＥＤ照明灯具２００に交換するだけで、位相制御式調光器の出力発振に伴う電源供給ラインの電圧変動によって位相制御素子の保持電流が不足しＬＥＤがちらついて点灯することを低減することができる。
【００８１】
電球形の本発明に係るＬＥＤ照明灯具２００を一般的なＬＥＤ照明灯具にする場合には、ライトコントロール器４００を例えば本発明に係る位相制御式調光器２’（図２参照）にするとよい。
【００８２】
図１５では、ライトコントロール器４００が図１Ａ中の位相制御式調光器である場合のライトコントロール器４００の外観を図示しており、つまみ式ボリュームにより調光の度合いを変更できるようにしている。なお、つまみ式に代えてスライド式ボリュームにより調光の度合いを変更できるようにしても良いことはいうまでもない。
【００８３】
上記では前記ライトコントロール器４００としてつまみ式ボリュームやスライド式ボリュームにより人が直接操作するものを挙げたが、これに限らず、リモコン等の無線信号により人が遠隔操作するものであっても良い。即ち、受信側である前記ライトコントロール器本体に無線信号受信部を設け、送信側である送信機本体（例えば、リモコン送信機、携帯端末等）に前記無線信号受信部へライトコントロール信号（例えば、調光信号、ライトＯＮ／ＯＦＦ信号等）を送信する無線信号送信部を設けることで遠隔操作できる。
【００８４】
また、本発明に係るＬＥＤ照明灯具は、電球形のＬＥＤ照明灯具に限らず、例えば、図１６に示す電灯形のＬＥＤ照明灯具６００、環形のＬＥＤ照明灯具７００、又は直管形のＬＥＤ照明灯具８００であってもよい。いずれの形状にしても、本発明に係るＬＥＤ照明灯具は、ＬＥＤと、位相制御式調光器内部の位相制御素子がオンになってＬＥＤが発光した後、位相制御式調光器に入力される交番電圧が０Ｖとなる前に位相制御式調光器内部の位相制御素子がオフすることによってＬＥＤがちらつき点灯することを低減する機能を有する回路（ＬＥＤちらつき点灯低減手段）を少なくとも内部に備える。
【符号の説明】
【００８５】
１  交流電源
２  位相制御式調光器
３  ＬＥＤモジュール
４Ａ、４Ｂ  ＬＥＤ駆動回路
５  電流制限回路
６  電流引き抜き部
７  電流検出回路
８、９  電圧検出回路
１０  コンパレータ
１３  白熱電球
５１  ＰＮＰトランジスタ
５２  抵抗
５３  コンパレータ
５４  ドライブ回路
５５  過電流保護回路
５６  過電圧保護回路
２００  電球形の本発明に係るＬＥＤ照明灯具
２０１  ＬＥＤモジュール
２０２  筐体または基板
２０３  回路
３００  ＬＥＤ照明灯具装着部
４００  ライトコントロール器
５００  本発明に係るＬＥＤ照明システム
６００  本発明に係る電灯形のＬＥＤ灯具
７００  本発明に係る環形のＬＥＤ灯具
８００  本発明に係る直管形のＬＥＤ灯具
Ｃ１〜Ｃ４  コンデンサ
ＣＮＴ１  スイッチング制御回路
Ｄ１  ダイオード
ＤＢ１  ダイオードブリッジ
Ｌ１、Ｌ２  コイル
ＬＮ１  電源供給ライン
Ｑ１  スイッチング素子
Ｑ２〜Ｑ４  ＮＰＮトランジスタ
Ｒ１〜Ｒ８  抵抗
Ｒｖａｒ１  半固定抵抗
Ｓ１、Ｓ２  スイッチ
Ｔｒｉ１  トライアック
【図１Ａ】
2011134672.tif 000003
【図１Ｂ】
2011134672.tif 000004
【図２】
2011134672.tif 000005
【図３】
2011134672.tif 000006
【図４】
2011134672.tif 000007
【図５】
2011134672.tif 000008
【図６】
2011134672.tif 000009
【図７】
2011134672.tif 000010
【図８Ａ】
2011134672.tif 000011
【図８Ｂ】
2011134672.tif 000012
【図９】
2011134672.tif 000013
【図１０】
2011134672.tif 000014
【図１１】
2011134672.tif 000015
【図１２】
2011134672.tif 000016
【図１３】
2011134672.tif 000017
【図１４】
2011134672.tif 000018
【図１５】
2011134672.tif 000019
【図１６】
2011134672.tif 000020
【図１７】
2011134672.tif 000021
【図１８】
2011134672.tif 000022
【図１９】
2011134672.tif 000023
【図２０】
2011134672.tif 000024
【図２１Ａ】
2011134672.tif 000025
【図２１Ｂ】
2011134672.tif 000026
【図２１Ｃ】
2011134672.tif 000027
【図２２Ａ】
2011134672.tif 000028
【図２２Ｂ】
2011134672.tif 000029
【図２２Ｃ】
2011134672.tif 000030
【図２３】
2011134672.tif 000031